(57)【要約】      （修正有）【課題】客室空間の快適な利用を促進させつつ清掃などの客室内作業を効率よく行うことができる客室の仕切り構造を提供する。【解決手段】仕切り手段１０は、巻き取りや折り畳み可能な柔軟な素材の薄膜状部材１１と、薄膜状部材１１における展開方向側の先端縁に沿って固定された棒状補強部材１２と、薄膜状部材１１を巻き取るか折り畳んで格納する格納部１３と、を備え、薄膜状部材１１は、所定の壁面Ｗ１に沿う方向に隣り合う個別空間を仕切る位置に展開されるとともに、壁面に向かう水平方向に格納可能に構成されている。従って、必要に応じて薄膜状部材１１を格納部１３から引き出して展開することによって、個別空間を仕切って乗客のプライバシーが確保できるとともに、必要がなければ薄膜状部材１１を格納部１３に格納することで客室空間Ｓの清掃作業を効率よく行うことができる。【選択図】図２
2015037895.tif 000002
【特許請求の範囲】
【請求項１】
床、壁、天井で囲まれて複数の利用者を収容可能な客室空間を各利用者ごとの個別空間に仕切るための仕切り手段を備えた客室の仕切り構造であって、
前記仕切り手段は、巻き取りや折り畳み可能な柔軟な素材の薄膜状部材を備え、
前記薄膜状部材は、所定の壁面に沿う方向に隣り合う前記個別空間を仕切る位置に展開されるとともに、前記壁面に向かう水平方向又は前記天井に向かう鉛直上方に格納可能に構成されていることを特徴とする客室の仕切り構造。
【請求項２】
前記仕切り手段は、前記薄膜状部材における展開方向側の先端縁に沿って固定された棒状補強部材を有して構成されていることを特徴とする請求項１に記載の客室の仕切り構造。
【請求項３】
前記仕切り手段は、前記薄膜状部材を巻き取るか折り畳んで格納する格納部を有して構成されていることを特徴とする請求項１又は２に記載の客室の仕切り構造。
【請求項４】
前記仕切り手段は、展開された前記薄膜状部材の移動を規制して展開状態を維持させる規制手段を有して構成されていることを特徴とする請求項１〜３のいずれか一項に記載の客室の仕切り構造。
【請求項５】
前記薄膜状部材は、鉛直下方に向かって展開されるととともに鉛直上方に向かって格納されるものであって、展開された状態において、天井面近傍から床面近傍に亘って前記隣り合う個別空間を仕切るか、又は、任意高さにおいて壁面から突出して設けられたロッカーの下面から床面近傍に亘って前記隣り合う個別空間を仕切ることを特徴とする請求項１〜４のいずれか一項に記載の客室の仕切り構造。
【請求項６】
前記薄膜状部材は、前記壁面から離れる水平方向に展開されるととともに該壁面に向かう水平方向に格納されるものであって、展開された状態において、壁面近傍から前記個別空間の全長に亘って前記隣り合う個別空間を仕切るか、又は、壁面近傍から前記個別空間の全長よりも短い所定長さに亘って前記隣り合う個別空間を仕切ることを特徴とする請求項１〜４のいずれか一項に記載の客室の仕切り構造。
【請求項７】
前記仕切り手段は、天井面及び床面のうちの少なくとも一方に設けられて前記薄膜状部材の展開移動及び格納移動を案内する案内部材を有して構成されていることを特徴とする請求項６に記載の客室の仕切り構造。
【請求項８】
前記仕切り手段は、格納された前記薄膜状部材の移動を規制して格納状態を維持させるロック部を有して構成されていることを特徴とする請求項１〜７のいずれか一項に記載の客室の仕切り構造。
【発明の詳細な説明】
【技術分野】
【０００１】
本発明は、客室の仕切り構造に係り、詳しくは、客船やフェリー等の船舶、あるいは海上浮体構造物などにおいて、複数の利用者（乗客）を収容可能な客室空間を各利用者ごとの個別空間に仕切るための仕切り手段を備えた客室の仕切り構造に関するものである。
【背景技術】
【０００２】
従来、客船やフェリー等の船舶、あるいは海上浮体構造物などにおいて、客室の床面全体にカーペット等を敷き詰めて複数の利用者（乗客）が任意に座ったり横臥したりして利用する客室空間が知られている。一般的に、このような所謂大部屋の客室では、利用者同士が各々任意にプライベートな空間を確保しようとすることから、空間利用効率が低下し、利用者が不快な思いをすることが多かった。このため、旅客空間に仕切り板を設けて利用者同士のプライバシーを確保することで客室を快適に利用することができるようにした客室配置構造が提案されている（例えば、特許文献１参照）。
【０００３】
特許文献１に記載された従来の客室配置構造は、図１３に示すように、壁面Ｗ１に直交して客室内部側に突出するとともに、互いに所定間隔だけ離れて設けられた複数の仕切り板１００と、仕切り板１００間の上下方向中央部に設けられた個人用ロッカー１０１と、を備えて構成されている。仕切り板１００の間隔寸法は、利用者一人ずつの個別空間の幅寸法とされ、仕切り板１００の下部における奥行き寸法は、隣の利用者の顔が見えない程度の５００〜６００ｍｍに設定されている。そして、利用者は、壁Ｗの側に向かって仕切り板１００間に頭が位置するように横臥することで、プライバシーを確保しつつ快適に就寝できるようになっている。
【先行技術文献】
【特許文献】
【０００４】
【特許文献１】特許第４０３１７７９号公報
【発明の概要】
【発明が解決しようとする課題】
【０００５】
しかしながら、特許文献１に記載された従来の客室配置構造のように、仕切り板１００が壁面Ｗ１から突出した状態で固定されたものでは、壁Ｗを背にして座った状態で隣の利用者の顔が見えないことから、家族や少人数のグループで利用する場合には、仕切り板１００が邪魔になってしまい、利用者同士のコミュニケーションを阻害するという不都合がある。さらに、仕切り板１００が床面Ｆ１から立設されていることから、床面Ｆ１の清掃時に仕切り板１００が邪魔になってしまい、限られた停泊時間内に客室を清掃する際の作業性を低下させ、船舶等の運行に支障を来すことになるという問題もある。
【０００６】
したがって、本発明は、客室空間の快適な利用を促進させつつ清掃などの客室内作業を効率よく行うことができる客室の仕切り構造を提供することを目的とする。
【課題を解決するための手段】
【０００７】
上記目的を達成するために請求項１に記載の客室の仕切り構造は、床、壁、天井で囲まれて複数の利用者を収容可能な客室空間を各利用者ごとの個別空間に仕切るための仕切り手段を備えた客室の仕切り構造であって、前記仕切り手段は、巻き取りや折り畳み可能な柔軟な素材の薄膜状部材を備え、前記薄膜状部材は、所定の壁面に沿う方向に隣り合う前記個別空間を仕切る位置に展開されるとともに、前記壁面に向かう水平方向又は前記天井に向かう鉛直上方に格納可能に構成されていることを特徴とする。
【０００８】
請求項２に記載の客室の仕切り構造は、請求項１に記載された客室の仕切り構造において、前記仕切り手段は、前記薄膜状部材における展開方向側の先端縁に沿って固定された棒状補強部材を有して構成されていることを特徴とする。
【０００９】
請求項３に記載の客室の仕切り構造は、請求項１又は２に記載された客室の仕切り構造において、前記仕切り手段は、前記薄膜状部材を巻き取るか折り畳んで格納する格納部を有して構成されていることを特徴とする。
【００１０】
請求項４に記載の客室の仕切り構造は、請求項１〜３のいずれか一項に記載された客室の仕切り構造において、前記仕切り手段は、展開された前記薄膜状部材の移動を規制して展開状態を維持させる規制手段を有して構成されていることを特徴とする。
【００１１】
請求項５に記載の客室の仕切り構造は、請求項１〜４のいずれか一項に記載された客室の仕切り構造において、前記薄膜状部材は、鉛直下方に向かって展開されるととともに鉛直上方に向かって格納されるものであって、展開された状態において、天井面近傍から床面近傍に亘って前記隣り合う個別空間を仕切るか、又は、任意高さにおいて壁面から突出して設けられたロッカーの下面から床面近傍に亘って前記隣り合う個別空間を仕切ることを特徴とする。
【００１２】
請求項６に記載の客室の仕切り構造は、請求項１〜４のいずれか一項に記載された客室の仕切り構造において、前記薄膜状部材は、前記壁面から離れる水平方向に展開されるととともに該壁面に向かう水平方向に格納されるものであって、展開された状態において、壁面近傍から前記個別空間の全長に亘って前記隣り合う個別空間を仕切るか、又は、壁面近傍から前記個別空間の全長よりも短い所定長さに亘って前記隣り合う個別空間を仕切ることを特徴とする。
【００１３】
請求項７に記載の客室の仕切り構造は、請求項６に記載された客室の仕切り構造において、前記仕切り手段は、天井面及び床面のうちの少なくとも一方に設けられて前記薄膜状部材の展開移動及び格納移動を案内する案内部材を有して構成されていることを特徴とする。
【００１４】
請求項８に記載の客室の仕切り構造は、請求項１〜７のいずれか一項に記載された客室の仕切り構造において、前記仕切り手段は、格納された前記薄膜状部材の移動を規制して格納状態を維持させるロック部を有して構成されていることを特徴とする。
【発明の効果】
【００１５】
請求項１に記載された発明によれば、仕切り手段が巻き取りや折り畳み可能な柔軟な素材の薄膜状部材を備えて構成され、この薄膜状部材が個別空間を仕切る位置に展開可能かつ水平方向又は鉛直上方に格納可能に構成されているので、必要に応じて薄膜状部材で個別空間を仕切ってプライバシーを確保することができるとともに、必要がなければ薄膜状部材を格納することで客室空間を広く利用することができる。また、家族や少人数のグループで利用する場合には、その人数分の個別空間を仕切らずに連続させるとともに、他の個別空間との間を薄膜状部材で仕切るようにもできるので、客室空間内部における個別空間の仕切り方の自由度を高めて利便性を向上させることができる。また、客室内部を清掃する際や、客室内に備品を搬入したり搬出したりする際には、薄膜状部材を格納しておくことで、薄膜状部材が邪魔になることがなく、清掃や搬出入の作業性を向上させることができる。
【００１６】
請求項２に記載された発明によれば、薄膜状部材における展開方向側の先端縁、即ち、水平方向に薄膜状部材が展開／格納される場合には壁面と反対側の側端縁であり、鉛直方向に薄膜状部材が展開／格納される場合には下端縁、に棒状補強部材が固定されているので、柔軟な素材からなる薄膜状部材の形態を安定させることができる。また、棒状補強部材には、薄膜状部材を展開／格納操作するためのフックや把手等の操作部が設けられていることが好ましい。
【００１７】
請求項３に記載された発明によれば、仕切り手段が薄膜状部材を巻き取るか折り畳んで格納する格納部を有しているので、格納部に格納した薄膜状部材を保護することができる。ここで、水平方向に薄膜状部材が展開／格納される場合には、壁面から没入させて格納部が設けられていることが好ましく、このように壁の内部に格納部を設ければ、壁面からの突出寸法を小さくすることができ、客室空間における有効利用可能な床面積を大きく確保することができる。
【００１８】
請求項４に記載された発明によれば、仕切り手段が規制手段を有し、展開された薄膜状部材の移動を規制して展開状態を維持させることで、個別空間同士を仕切った薄膜状部材の形態を安定させることができる。ここで、水平方向に薄膜状部材が展開／格納される場合には、展開状態の薄膜状部材における壁面と反対側の先端縁（側端縁）側が位置する床面や天井面に規制手段が設けられていることが好ましく、鉛直方向に薄膜状部材が展開／格納される場合には、展開状態の薄膜状部材の先端縁（下端縁）が近接する床面や床面近傍の壁面に規制手段が設けられていることが好ましい。また、規制手段としては、薄膜状部材の先端縁（棒状補強部材が固定された場合は、該棒状補強部材が）を係止する係止部材を有して構成されていてもよいし、薄膜状部材の先端縁や棒状補強部材を磁着させる磁石を有して構成されていてもよい。さらに、規制手段としては、床面や天井面、壁面から突没自在な規制部材で構成されていることが好ましく、薄膜状部材の格納状態においては規制部材を床面等に没入させておくことで、利用者の快適性や清掃作業の作業効率を向上させることができる。
【００１９】
請求項５に記載された発明によれば、薄膜状部材が鉛直下方に向かって展開されるととともに鉛直上方に向かって格納される場合において、天井面近傍から床面近傍に亘って薄膜状部材が展開されるか、又は、ロッカーの下面から床面近傍に亘って薄膜状部材が展開される。従って、薄膜状部材が格納される基端縁側を天井又はロッカーに支持させることができ、薄膜状部材を安定して展開／格納させることができる。さらに、格納部が設けられる場合には、該格納部を天井面やロッカーの下面から没入させて設けることが好ましく、このように天井内部やロッカー内部に格納部を設ければ、仕切り手段の外観を良好にすることができる。
【００２０】
請求項６に記載された発明によれば、薄膜状部材が壁面から離れる水平方向に展開されるととともに壁面に向かう水平方向に格納される場合において、壁面近傍から個別空間の全長に亘って薄膜状部材が展開されるか、又は、壁面近傍から個別空間の全長よりも短い所定長さに亘って薄膜状部材が展開される。従って、薄膜状部材が格納される基端縁側を壁に支持させることができ、薄膜状部材を安定して展開／格納させることができる。ここで、個別空間の全長よりも短い所定長さとしては、例えば、壁面を背にして利用者が座った状態で隣の利用者と目が合わない程度の寸法や、壁の側に頭が位置するように横臥した状態で頭部や胸部あるいは腹部に至る程度の寸法など、適宜に設定可能である。
【００２１】
請求項７に記載された発明によれば、仕切り手段が天井面や床面に設けられる案内部材を有し、この案内部材によって薄膜状部材の展開移動及び格納移動を案内することで、薄膜状部材の展開／格納を円滑に行うことができる。ここで、案内部材としては、天井面や床面から没入して設けられた凹溝状のレールであることが好ましく、このように床面等から突出しない凹溝状のレールを用いることで、利用者の邪魔になることがなく客室空間の床面を広く利用することができる。
【００２２】
請求項８に記載された発明によれば、仕切り手段がロック部を有し、格納された薄膜状部材の移動をロック部で規制して格納状態を維持させることで、格納した薄膜状部材を安全に保護することができる。即ち、利用者が児童や学生等の団体客である場合など、薄膜状部材が展開できないようにロック部によってロックしておくことで、薄膜状部材に対するいたずらを予防し、薄膜状部材の破損を防止することができる。
【図面の簡単な説明】
【００２３】
【図１】本発明の第一実施形態に係る仕切り構造が設けられた客室を示す平面図である。
【図２】前記客室を示す断面図であり、図１にII−II線で示す断面図である。
【図３】前記客室を示す断面図であり、図１にIII−III線で示す断面図である。
【図４】前記仕切り構造を示す斜視図である。
【図５】前記仕切り構造の変形例を示す断面図である。
【図６】前記仕切り構造の一部を拡大して示す図である。
【図７】前記仕切り構造の一部を拡大して示す図である。
【図８】本発明の第二実施形態に係る仕切り構造を示す断面図である。
【図９】前記仕切り構造を示す斜視図である。
【図１０】前記仕切り構造の変形例を示す断面図である。
【図１１】前記仕切り構造の一部を拡大して示す図である。
【図１２】前記仕切り構造の一部を拡大して示す図である。
【図１３】従来技術に係る客室の仕切り構造を示す斜視図である。
【発明を実施するための形態】
【００２４】
以下、本発明の第一実施形態に係る客室の仕切り構造を、図１〜図７に基づいて説明する。本実施形態の仕切り構造は、例えば、客船やフェリー等の船舶において、複数の乗客（利用者）を収容する客室１の客室空間Ｓを各乗客ごとの個別空間Ｓ１に仕切るために利用されるものである。客室１は、図１〜図３に示すように、船舶の隔壁Kで囲まれた内部に床Ｆ、壁Ｗ、天井Ｃが設けられ、これらの床Ｆ、壁Ｗ、天井Ｃによって客室空間Ｓが形成されている。この客室１は、廊下側（図１の下側）の壁Ｗの略中央に出入り口２が設けられるとともに、その反対側（図１の上側）の壁Ｗに２個の窓３が設けられ、これらの壁Ｗと直交する左右の壁ＷＡに沿って各５つずつの個別空間Ｓ１が並んで設けられ、即ち、客室１の収容者数が１０名に設定されている。また、左右の壁ＷＡには、図４にも示すように、その高さ方向の中間位置から客室空間Ｓ内部側に突出したロッカーＬが設けられ、このロッカーＬは、各乗客ごとの個別ロッカーとして利用可能であるとともに、ロッカーＬの上面が棚として利用できるようになっている。
【００２５】
個別空間Ｓ１は、左右の壁ＷＡを背にして乗客が座ったり、壁ＷＡ側に頭を向けて横臥したりして各乗客が利用可能になっており、該壁ＷＡからロッカーＬの先端までの範囲を仕切り手段１０によって仕切ることができるようになっている。仕切り手段１０は、巻き取りや折り畳み可能な柔軟な素材の薄膜状部材１１と、薄膜状部材１１の先端縁に沿って固定された棒状補強部材１２と、薄膜状部材１１を巻き取るか折り畳んで格納する格納部１３と、を備えて構成されている。薄膜状部材１１は、不燃性又は難燃性を有することが好ましい布やフィルムから構成され、格納部１３から水平方向に引き出されて個別空間Ｓ１を仕切る位置に展開されるとともに、壁面Ｗ１に向かって格納部１３に引き込まれて格納可能に構成されている。棒状補強部材１２は、アルミ合金やステンレス合金などの金属パイプ、あるいは樹脂成形パイプ、木製の棒などから構成され、薄膜状部材１１の引き出し方向先端縁を把持して固定されている。格納部１３は、壁面Ｗ１から没入して壁ＷＡの内部に設けられるとともに、客室空間Ｓ側に開口したスリットから薄膜状部材１１を引き出し又は引き込み可能に構成されており、格納部１３の内部には、薄膜状部材１１を巻き取ったり折り畳んだりして格納する図示しない格納機構が設けられている。
【００２６】
この仕切り手段１０は、船舶が停泊中や昼間の航行中などの通常時においては、薄膜状部材１１が格納部１３に格納された格納状態となっており、客室空間Ｓを広い空間として利用できるようになっている。この格納状態において、棒状補強部材１２を格納部１３に係止して薄膜状部材１１の引き出しを規制し、薄膜状部材１１の格納状態を維持させるロック部を有して仕切り手段１０が構成されていてもよい。一方、長時間の航行や夜間の航行中においては、棒状補強部材１２を操作して薄膜状部材１１を格納部１３から水平方向に引き出し、薄膜状部材１１によって個別空間Ｓ１を仕切る展開状態とすることで、乗客のプライバシーが確保できるようになっている。即ち、展開状態においては、個別空間Ｓ１における壁ＷＡ側の範囲が左右の薄膜状部材１１と上方のロッカー下面Ｌ１とで囲まれることで、周囲の他の乗客からの視線を遮ることができ、また周囲の様子を気にすることなく読書したり就寝したりすることができる。また、家族や少人数のグループで利用する場合には、その人数に応じた個別空間Ｓ１間の薄膜状部材１１を格納しておき、他の個別空間Ｓ１との間を薄膜状部材１１で仕切ることで、グループ間のコミュニケーションを図りつつ航行時間を過ごすことができるようにもなっている。
【００２７】
また、仕切り手段１０は、ロッカーＬの下側に設けられてロッカーＬの先端まで展開されるものに限らず、図５に示すように、天井Ｃに至る高さを有して構成されていてもよい。ここで、図５（Ａ）に示す構成では、ロッカーＬが個別空間Ｓ１ごとに分割され、各ロッカーＬ間に隙間が形成されており、この隙間に仕切り手段１０の薄膜状部材１１及び棒状補強部材１２が挿通されて展開／格納可能に構成されている。一方、図５（Ｂ）に示す構成では、ロッカーＬが省略されている。また、図５に示す仕切り手段１０は、ロッカーＬの先端位置よりも客室空間Ｓの中央側まで展開可能になっており、即ち、薄膜状部材１１の長さとして、個別空間Ｓ１において壁ＷＡ側に頭を向けて横臥した乗客の腰部程度まで覆う程度に設定されている。なお、展開状態における薄膜状部材１１の長さとしては、任意に設定可能であり、壁ＷＡ側に頭を向けて横臥した乗客の頭部を覆う長さでもよいし、胸部まで覆う長さでもよいし、腰部や全身（個別空間Ｓ１の全長）を覆う長さに設定されていてもよい。
【００２８】
次に、図６、図７も参照して仕切り手段１０の支持構造を詳しく説明する。床Ｆと、ロッカーＬ又は天井Ｃとには、それぞれ薄膜状部材１１の展開移動及び格納移動を案内する案内部材１４，１５が設けられている。案内部材１４は、床面Ｆ１に没入して設けられた凹溝状のレール部材で構成され、案内部材１５は、ロッカー下面Ｌ１又は天井面Ｃ１に没入して設けられた凹溝状のレール部材で構成されている。また、棒状補強部材１２の上下には、それぞれ上下に突出した被案内部材１６が設けられている。これらの被案内部材１６は、棒状補強部材１２に固定された軸部１６Ａと、この軸部１６Ａの先端に設けられた頭部１６Ｂと、を有して形成されている。頭部１６Ｂは、軸部１６Ａに固定された円盤状のスライダでもよいし、軸部１６Ａに回転自在に支持されたガイドローラであってもよく、案内部材１４，１５の溝内部に沿って展開方向又は格納方向にスライド案内されるようになっている。
【００２９】
また、案内部材１４の展開方向端部近傍には、被案内部材１６を係止することで薄膜状部材１１の移動を規制して展開状態を維持させる規制手段１７が設けられている。この規制手段１７は、案内部材１４の底面に設けられた孔と、好ましくはこの孔に回動自在、又は押し下げ自在に設けられた蓋材とで構成され、蓋材を回動又は押し下げて孔の内部に頭部１６Ｂを挿入することによって被案内部材１６が係止されるように構成されている。ここで、案内部材１５の溝深さは、案内部材１４よりも大きく形成されており、下側の被案内部材１６を規制手段１７に係止させた状態であっても、上側の被案内部材１６の頭部１６Ｂが案内部材１５から脱落しないように構成されている。
【００３０】
さらに、案内部材１５の展開方向端部近傍にも、被案内部材１６を係止することで薄膜状部材１１の移動を規制して展開状態を維持させる規制手段１８が設けられている。この規制手段１８は、案内部材１５の側面に設けられた一対の突片などで構成され、突片間に被案内部材１６の軸部１６Ａを挿通させるとともに、突片によって頭部１６Ｂを係止することで、上側の被案内部材１６を係止可能に構成されている。
【００３１】
一方、棒状補強部材１２を持ち上げて下側の被案内部材１６の頭部１６Ｂを規制手段１７の孔から外すとともに、上側の被案内部材１６の頭部１６Ｂを規制手段１８の突片から外すことで係止が解除され、薄膜状部材１１及び棒状補強部材１２を格納方向に移動させることができる。この際、格納部１３の格納機構に薄膜状部材１１を巻き取るか又は折り畳む方向に付勢するばねが設けられていることが好ましく、このばねの付勢力によって薄膜状部材１１が格納方向に引っ張られ、円滑に格納部１３に格納されるようになっている。
【００３２】
以上の本実施形態によれば、必要に応じて薄膜状部材１１を格納部１３から引き出して展開することによって、個別空間Ｓ１を仕切ることができ、乗客のプライバシーが確保できるとともに、必要がなければ薄膜状部材１１を格納部１３に格納することで客室空間Ｓを広く利用することができる。さらに、薄膜状部材１１を格納しておくことで、客室内部を清掃する際や、客室内に備品を搬入したり搬出したりする際に、薄膜状部材１１が邪魔になることがなく、清掃や搬出入の作業性を向上させることができる。また、薄膜状部材１１の展開方向の側端縁に棒状補強部材１２が固定されているので、柔軟な素材からなる薄膜状部材１１の形態を安定させることができ、折り畳む方向に付勢するばねが設けられている場合には薄膜状部材１１が弛むことなく展開できる。さらに、薄膜状部材１１を格納部１３に格納することで、薄膜状部材１１を保護することができるとともに、格納部１３が壁ＷＡの内部に設けられているので、壁面Ｗ１からの突出寸法を小さくすることができ、客室空間Ｓにおける有効利用可能な床面積を大きく確保することができる。また、案内部材１４，１５によって薄膜状部材１１の展開移動及び格納移動を案内することで、薄膜状部材の展開及び格納を円滑に行うことができる。さらに、規制手段１７によって被案内部材１６を係止して薄膜状部材１１の展開状態を維持させることで、個別空間Ｓ１同士を仕切った薄膜状部材１１の形態を安定させることができる。
【００３３】
次に、本発明の第二実施形態に係る客室の仕切り構造を、図８〜図１２に基づいて説明する。本実施形態の仕切り手段２０は、巻き取りや折り畳み可能な柔軟な素材の薄膜状部材２１と、薄膜状部材２１の下端縁（先端縁）に沿って固定された棒状補強部材２２と、薄膜状部材２１を巻き取るか折り畳んで格納する格納部２３と、を備えて構成されている。薄膜状部材２１は、不燃性又は難燃性を有することが好ましい布やフィルムから構成されるとともに、ロッカーＬの突出寸法と略同一の幅寸法を有して形成され、格納部２３から鉛直方向下方に引き出されて個別空間Ｓ１を仕切る位置に展開されるとともに、上方に向かって格納部２３に引き込まれて格納可能に構成されている。棒状補強部材２２は、アルミ合金やステンレス合金などの金属パイプ、あるいは樹脂成形パイプ、木製の棒などから構成され、薄膜状部材２１の引き出し方向先端縁を把持して固定されている。格納部２３は、ロッカー下面Ｌ１から没入してロッカーＬの内部に設けられるとともに、下方に開口したスリットから薄膜状部材２１を引き出し又は引き込み可能に構成されており、格納部２３の内部には、薄膜状部材２１を巻き取ったり折り畳んだりして格納する図示しない格納機構が設けられている。
【００３４】
この仕切り手段２０は、船舶が停泊中や昼間の航行中などの通常時においては、薄膜状部材２１が格納部２３に格納された格納状態となっており、客室空間Ｓを広い空間として利用できるようになっている。この格納状態において、棒状補強部材２２を格納部２３に係止して薄膜状部材２１の引き出しを規制し、薄膜状部材２１の格納状態を維持させるロック部を有して仕切り手段２０が構成されていてもよい。一方、長時間の航行や夜間の航行中においては、棒状補強部材２２を操作して薄膜状部材２１を格納部２３から下方に引き出し、薄膜状部材２１によって個別空間Ｓ１を仕切る展開状態とすることで、乗客のプライバシーが確保できるようになっている。即ち、展開状態においては、個別空間Ｓ１における壁ＷＡ側の範囲が左右の薄膜状部材２１と上方のロッカー下面Ｌ１とで囲まれることで、周囲の他の乗客からの視線を遮ることができ、また周囲の様子を気にすることなく読書したり就寝したりすることができる。また、家族や少人数のグループで利用する場合には、その人数に応じた個別空間Ｓ１間の薄膜状部材２１を格納しておき、他の個別空間Ｓ１との間を薄膜状部材２１で仕切ることで、グループ間のコミュニケーションを図りつつ航行時間を過ごすことができるようにもなっている。
【００３５】
また、仕切り手段２０は、ロッカーＬの下側に設けられてロッカーＬの先端までの幅寸法を備えたものに限らず、図１０に示すように、天井Ｃに設けられた格納部２３から床面Ｆ１近傍まで引き出されるように構成されていてもよい。ここで、図１０（Ａ）に示す構成では、ロッカーＬが個別空間Ｓ１ごとに分割され、各ロッカーＬ間に隙間が形成されており、この隙間に仕切り手段２０の薄膜状部材２１及び棒状補強部材２２が挿通されて展開／格納可能に構成されている。一方、図１０（Ｂ）に示す構成では、ロッカーＬが省略されている。また、図１０に示す仕切り手段２０は、薄膜状部材２１の幅寸法及び棒状補強部材２２の長さ寸法がロッカーＬの突出寸法よりも大きく形成され、客室空間Ｓの中央側に至る個別空間Ｓ１を仕切ることができるようになっており、即ち、薄膜状部材２１の幅寸法として、個別空間Ｓ１において壁ＷＡ側に頭を向けて横臥した乗客の腰部程度まで覆う程度に設定されている。なお、薄膜状部材２１の幅寸法としては、任意に設定可能であり、壁ＷＡ側に頭を向けて横臥した乗客の頭部を覆う長さでもよいし、胸部まで覆う長さでもよいし、腰部や全身（個別空間Ｓ１の全長）を覆う長さに設定されていてもよい。
【００３６】
次に、図１１、図１２も参照して仕切り手段２０の係止構造を詳しく説明する。床Ｆには、薄膜状部材２１の移動を規制して展開状態を維持させる規制手段２７が設けられ、棒状補強部材２２には、規制手段２７に係止される被係止部材２８が設けられている。この規制手段２７は、床面Ｆ１から没入して設けられた規制本体部２７Ａと、この規制本体部２７Ａに回動自在に設けられたリング状の係止部材２７Ｂとで構成され、係止部材２７Ｂを回動させて床面Ｆ１から突出させ、この係止部材２７Ｂに被係止部材２８を引っ掛けて係止させることによって、棒状補強部材２２及び薄膜状部材２１の格納方向（上方）への移動が規制されるように構成されている。一方、係止部材２７Ｂと被係止部材２８との係止を解除することで、薄膜状部材２１及び棒状補強部材２２を格納方向に移動させることができる。この際、格納部２３の格納機構に薄膜状部材２１を巻き取るか又は折り畳む方向に付勢するばねが設けられていることが好ましく、このばねの付勢力によって薄膜状部材２１が格納方向に引っ張られ、円滑に格納部２３に格納されるようになっている。
【００３７】
以上の本実施形態によれば、必要に応じて薄膜状部材２１を格納部２３から引き出して展開することによって、個別空間Ｓ１を仕切ることができ、乗客のプライバシーが確保できるとともに、必要がなければ薄膜状部材２１を格納部２３に格納することで客室空間Ｓを広く利用することができる。さらに、薄膜状部材２１を格納しておくことで、客室内部を清掃する際や、客室内に備品を搬入したり搬出したりする際に、薄膜状部材２１が邪魔になることがなく、清掃や搬出入の作業性を向上させることができる。また、薄膜状部材２１の下端縁に棒状補強部材２２が固定されているので、柔軟な素材からなる薄膜状部材２１の形態を安定させることができ、折り畳む方向に付勢するばねが設けられている場合には薄膜状部材１１が弛むことなく展開できる。さらに、薄膜状部材２１を格納部２３に格納することで、薄膜状部材２１を保護することができるとともに、格納部２３がロッカーＬ又は天井Ｃの内部に設けられているので、ロッカー下面Ｌ１又は天井面Ｃ１からの突出寸法を小さくすることができ、客室空間Ｓを広く利用することができる。また、規制手段２７の係止部材２７Ｂによって被係止部材２８を係止して薄膜状部材２１の展開状態を維持させることで、個別空間Ｓ１同士を仕切った薄膜状部材２１の形態を安定させることができる。
【００３８】
なお、本発明は、前記実施形態に限定されることなく、以下のような変形例を含んでいてもよい。即ち、前記実施形態では、客船やフェリー等の船舶における客室１の客室空間Ｓを個別空間Ｓ１に仕切る仕切り手段１０，２０を例示したが、本発明の仕切り手段は、船舶に設けられるものに限らず、海上浮体構造物など任意の施設における客室を仕切る構造として利用可能である。また、仕切り手段１０，２０によって仕切る個別空間Ｓ１としては、１人分の空間に限らず、適宜に設定された所定人数分の空間であってもよい。また、前記実施形態では、仕切り手段１０又は仕切り手段２０が設けられていたが、これに限らず、客室空間Ｓ内部の位置に応じて仕切り手段１０と仕切り手段２０とを併用してもよい。さらに、仕切り手段１０，２０に加え、他の仕切り手段として、客室空間Ｓの中央側（壁ＷＡ側に頭を向けて横臥した乗客の足先側）において個別空間Ｓ１と通路部とを仕切るものを設けてもよい。
【００３９】
また、前記実施形態では、格納部１３，２３を壁Ｗや天井Ｃ、ロッカーＬに埋め込んで仕切り手段１０，２０を構成したが、これに限らず、格納部を壁Ｗや天井Ｃ、ロッカーＬから突出させてもうけてもよい。さらに、前記実施形態では、薄膜状部材２１として、不燃性又は難燃性を有することが好ましい布やフィルムを採用したが、薄膜状部材２１の材質は特に限定されるものではなく、例えば、可燃性の材料を用いることができる場合もある。
【符号の説明】
【００４０】
１      客室
１０，２０  仕切り手段
１１，２１  薄膜状部材
１２，２２  棒状補強部材
１３，２３  格納部
１４，１５  案内部材
１７，１８，２７  規制手段
Ｃ      天井
Ｃ１    天井面
Ｆ      床
Ｆ１    床面
Ｌ      ロッカー
Ｌ１    ロッカー下面
Ｓ      客室空間
Ｓ１    個別空間
Ｗ，ＷＡ  壁
Ｗ１    壁面
【図１】
2015037895.tif 000003
【図２】
2015037895.tif 000004
【図３】
2015037895.tif 000005
【図４】
2015037895.tif 000006
【図５】
2015037895.tif 000007
【図６】
2015037895.tif 000008
【図７】
2015037895.tif 000009
【図８】
2015037895.tif 000010
【図９】
2015037895.tif 000011
【図１０】
2015037895.tif 000012
【図１１】
2015037895.tif 000013
【図１２】
2015037895.tif 000014
【図１３】
2015037895.tif 000015